(57)【要約】【課題】吊り下げパイプにより天井面から吊り下げられる照明器具において、天面に存在する電源穴等を覆って虫や粉塵の侵入を防ぐことのできる照明器具を提供する。【解決手段】吊り下げパイプ６０により天井面から吊り下げられて使用される照明器具１００であって、天井面２００に対向する面である天面板２４と、天面板２４の一部に設けられ天井面側が開口する溝部２０とを備える器具本体１０と、吊り下げパイプ６０の下端部に連結されるとともに、器具本体１０の溝部２０の開口を覆うように器具本体１０に装着される吊り下げ補助部材４０とを備え、器具本体１０の天井面側に取り付け用穴や電源穴３０を要している場合でも、取り付け用穴や電源穴３０から虫や粉塵等が照明器具１０内に入ることを防ぐことができる。【選択図】図２
2010129427.tif 000002
【特許請求の範囲】
【請求項１】
吊り下げパイプにより天井面から吊り下げられる照明器具において、
前記天井面に対向する面である天面板と、天面板の一部に設けられ天井面側が開口する溝部とを備える器具本体と、
前記吊り下げパイプの下端部に連結されるとともに、前記器具本体の前記溝部の開口を覆うように前記器具本体に装着される吊り下げ補助部材とを備える
ことを特徴とする照明器具。
【請求項２】
前記溝部は、前記天面板の両端まで延在して前記天面板の両端の側面に凹部を形成し、
前記吊り下げ補助部材は、前記凹部を覆うことを特徴とする請求項１に記載の照明器具。
【請求項３】
前記吊り下げ補助部材は、前記溝部の開口を覆う部材上面部と、前記凹部を覆うように前記部材上面部の両端から下方に延設された１対の部材側端面部と、前記部材側端面部の下辺から、前記吊り下げ補助部材の外側方向に略水平に延設された１対の部材端面部とを備え、
前記器具本体は、前記天面板の両端のうちの一方の端の前記溝部の底面に、前記吊り下げ補助部材を位置決めする係止爪を備え、
前記吊り下げ補助部材は、前記１対の部材端面部のうちの一方の部材端面部が前記係止爪に係止されることにより前記器具本体に位置決めされる
ことを特徴とする請求項２に記載の照明器具。
【請求項４】
前記器具本体は、さらに、前記天面板の両端のうちの他方の端の前記溝部の内側面に、前記吊り下げ補助部材を固定する突起部を備え、
前記吊り下げ補助部材は、前記１対の部材端面部のうちの他方の部材端面部と前記他方の部材端面部に連続する部材側端面部とからなる角部に前記突起部を引っ掛けることにより前記器具本体に固定される
ことを特徴とする請求項３に記載の照明器具。
【請求項５】
前記吊り下げ補助部材は、さらに、前記溝部の内側面に当接するように前記部材上面部の側辺から下方に延設された１対の部材側部を備えることを特徴とする請求項４に記載の照明器具。
【請求項６】
前記吊り下げ補助部材は、前記溝部の開口を覆う部材上面部と、前記溝部の内側面に当接するように前記部材上面部の側辺から下方に延設された１対の部材側部とを備え、
前記器具本体は、前記天面板の両端の前記溝部の内側面に、前記吊り下げ補助部材を係止する係止突起部を備え、
前記吊り下げ補助部材は、さらに、前記１対の部材側部における前記係止突起部に対応する位置に、前記係止突起部と係合する係止穴を備え、前記係止穴に前記係止突起部を係合させることにより前記器具本体に係止されることを特徴とする請求項１に記載の照明器具。
【請求項７】
前記吊り下げ補助部材は、前記溝部の内側をスライドすることにより前記器具本体に装着されることを特徴とする請求項３〜６のいずれかに記載の照明器具。
【発明の詳細な説明】
【技術分野】
【０００１】
本発明は、照明器具に関するものであり、特に、吊り下げパイプにより天井面から吊り下げられる照明器具に関する。
【背景技術】
【０００２】
従来技術では、天井に取付けられる吊下用パイプに取付ける照明器具において、吊下用パイプにネジによって照明器具を取付ける技術が特許文献１に開示されている。また、吊下用パイプを照明器具に備えられたパイプ導入孔に挿入後、照明器具をスライドして吊下用パイプの係合部をパイプ導入孔の一部である係止孔に係合させて仮取付けし、仮取付け後に照明器具がスライドして係合部が係止孔から外れるのを防止する技術が開示されている（特許文献２、特許文献３参照）。
【特許文献１】特開平８−６４０２３号
【特許文献２】実開平４−８８６１１号
【特許文献３】特開２００６−１８５８８０号
【発明の開示】
【発明が解決しようとする課題】
【０００３】
しかしながら、吊下用パイプにネジによって照明器具を取付ける技術では、照明器具を作業者が支えながらネジで固定する作業が必要であり、作業性に劣っている。
【０００４】
また、照明器具をスライドして吊下用パイプの係合部に照明器具の係止孔を係合させて取付けた後、係合部と係止孔とが外れるのを防止する技術では、照明器具のパイプ導入孔の一部から照明器具の内部に虫や粉塵等が入り込む恐れがある。特に、天井直付け用と天井吊下用を兼用する照明器具は、照明器具本体の天井側の面である天面に、取付用の穴や電源穴等を要しているため、取付用の穴、電源穴等から虫や粉塵等が照明器具の内部に入り込み、電気・電子部品の故障の原因となる恐れがある。
【０００５】
本発明は、例えば、上記のような課題を解決するためになされたものであり、天井面から吊り下げられて使用される照明器具において、吊り下げパイプへの照明器具の取り付けの作業性を向上させるとともに、照明器具の内部への虫や粉塵等の侵入を防止することができる照明器具を提供することを目的とする。
【課題を解決するための手段】
【０００６】
本発明に係る照明器具は、吊り下げパイプにより天井面から吊り下げられる照明器具であって、
前記天井面に対向する面である天面板と、天面板の一部に設けられ天井面側が開口する溝部とを備える器具本体と、
前記吊り下げパイプの下端部に連結されるとともに、前記器具本体の前記溝部の開口を覆うように前記器具本体に装着される吊り下げ補助部材とを備えることを特徴とする。
【発明の効果】
【０００７】
本発明に係る照明器具は、吊り下げパイプにより天井面から吊り下げられる照明器具であって、前記天井面に対向する面である天面板と、天面板の一部に設けられ天井面側が開口する溝部とを備える器具本体と、前記吊り下げパイプの下端部に連結されるとともに、前記器具本体の前記溝部の開口を覆うように前記器具本体に装着される吊り下げ補助部材とを備えているので、器具本体の天井面側に取り付け用穴や電源穴を設けている場合でも、取り付け用穴や電源穴から虫や粉塵等が照明器具内に侵入するのを防ぎ、電子部品等の故障の原因となることを防ぐことができるという効果を奏する。
【発明を実施するための最良の形態】
【０００８】
実施の形態１．
本実施の形態に係る照明器具１００は、天井面に固定された吊り下げパイプに連結されて使用される照明器具である。本実施の形態に係る照明器具１００について、図１〜図５を用いて以下に説明する。
【０００９】
図１は、実施の形態１に係る照明器具１００の図であり、（ａ）は照明器具１００を下方向から見た斜視図であり、（ｂ）は照明器具１００を上方向から見た斜視図である。図２は、実施の形態１に係る照明器具１００を上方向から見た分解斜視図である。図３は、実施の形態１に係る照明器具１００において、吊り下げ補助部材の装着時を示す図である。図４は、実施の形態１に係る照明器具１００の図３におけるＡ端部の拡大図である。図５は、実施の形態１に係る照明器具１００の図３におけるＢ端部の拡大図である。
【００１０】
図１（ａ）に示すように、吊り下げパイプ６０は上端部が天井面２００に固定されている。また、吊り下げパイプ６０は、器具本体１０にも連結されるので、照明器具１００は吊り下げパイプ６０により天井面２００から吊り下げられる状態となる。
【００１１】
通常の照明器具では、設置される天井面に吊り下げパイプが設置（固定）されており、照明器具（器具本体）が吊り下げパイプに直接取り付けられることにより、照明器具が天井面から吊り下げられた状態となり使用されることが多い。このとき、空気中の粉塵や虫などが照明器具の天井側の面（天面）等に空いている取り付け穴や電源穴等に入り込む可能性がある。また、照明器具の内部に粉塵や虫等が侵入することで電子部品等の故障の原因となる虞がある。
【００１２】
本実施の形態に係る照明器具１００では、図１（ｂ）、図２に示すように、吊り下げパイプ６０は、器具本体１０とは別部品である吊り下げ補助部材４０に連結され、吊り下げパイプ６０が連結する吊り下げ補助部材４０が器具本体１０の天井面側の面に空いている取り付け穴や電源穴等を塞ぐように装着されることにより、照明器具１００（すなわち器具本体１０）が天井面２００から吊り下げられるところが特徴の１つである。
【００１３】
図１（ｂ）に示すように、吊り下げパイプ６０は、その下端部が吊り下げ補助部材４０に設けられたパイプ穴５０に通された状態で固定されている。また、吊り下げ補助部材４０は、器具本体１０の天井面側の面（天面）に装着される。
【００１４】
図２は、実施の形態１に係る照明器具１００を上方向から見た分解斜視図である。また、図３は、実施の形態１に係る照明器具１００において、吊り下げ補助部材４０の装着時を示す図である。
【００１５】
図２に示すように、器具本体１０は、器具本体１０の天井面側に、天井面２００に対向する面である天面板２４と、天面板２４の一部に設けられ天井面側が開口する溝部２０とを備えている。本実施の形態の照明器具１００は、直管型の電球を装着する照明器具を想定しているので、天井面側の面は細長い矩形である。溝部２０は、天面板２４の両端（すなわち、器具本体１０の両端）まで延在して天面板２４の両端の側面（すなわち、器具本体１０の両端の器具本体側面２８）に凹部２７を形成するように形成される。
【００１６】
溝部２０は、天井面２００に対向する面である溝部底面２５と、側面である一対の溝部内側面２６とから構成され、内側が凹形状の凹部２７を形成する溝である。器具本体１０は、実質的には溝部２０の溝部底面２５を器具本体１０の天面とし、溝部底面２５に電源穴３０が形成されている。また、照明器具１００が直付け・吊り下げ兼用照明器具である場合には、溝部底面２５に照明器具直付けのための取り付け穴が空いているものとする。
【００１７】
本実施の形態の照明器具１００は、直管型の電球を装着する照明器具を想定しているので、天井面側の面は細長い矩形である。図２に示すように、器具本体１０は、長辺方向に細長い矩形の天面を有するため、器具本体１０の天面のほぼ全面を溝部底面２５とする溝部２０が形成されている。しかし、例えば、円形電球を装着するための照明器具の場合などのように、天面が円形や多角形等の場合がある。そのような場合でも、本実施の形態を適用することができる。例えば、円形の天面を有する器具本体の場合は、円形の天面の略中心を横切るような溝部を形成し、その溝部の底面に電源穴や照明器具直付けのための取り付け穴を形成することで本実施の形態の構成を適用することができる。
【００１８】
吊り下げ補助部材４０は、吊り下げパイプ６０の下端部に連結されるとともに、器具本体１０の溝部２０の開口を覆うように器具本体１０に装着される部材である。すなわち、吊り下げ補助部材４０は、溝部の内側に形成された凹部２７を覆うことを特徴とする。また、吊り下げ補助部材４０は、金属で形成された金具を想定しているが、例えば、耐久性、耐熱性のある樹脂等から形成される部材でも構わない。
【００１９】
図２に示すように、吊り下げ補助部材４０は、部材上面部４２と、部材上面部４２の両端から下方へ延設された１対の部材側端面部４３と、各部材側端面部４３の下辺から吊り下げ補助部材４０の外側方向略水平に延設された１対の部材端面部４１とから構成される。すなわち、吊り下げ補助部材４０の長辺方向の断面は、略帽子状（あるいは略Ω状）となる。また、部材上面部４２には、吊り下げパイプ６０を連結するためのパイプ穴５０が設けられている。
【００２０】
一方の部材端面部４１の端辺４１１から他方の部材端面部４１の端辺４１１までの長さ（すなわち、吊り下げ補助部材４０の長辺方向の長さ）は、器具本体１０の長辺方向の長さに等しくなるように形成される。また、吊り下げ補助部材４０の幅Ｌ１は、溝部の開口の幅Ｌ２と略等しくなるように形成される。また、図４に示すように、部材側端面部４３の高さＨ１は、溝部２０の深さＨ２と略等しくなるように形成される。したがって、吊り下げ補助部材４０を溝部２０に嵌めた状態（図１（ｂ）の状態）では、器具本体１０の天面板２４と部材上面部４２とが略平面状（フラット）になり隙間無く溝部２０の開口を塞ぐことができる。
【００２１】
また、吊り下げ補助部材４０を溝部２０に嵌めた状態（図１（ｂ）の状態）では、部材端面部４１は溝部２０の溝部底面２５に当接して設置され、一対の部材端面部４１の内側（一対の部材側端面部４３の内側）には、溝部２０の溝部内側面２６と溝部底面２５と部材上面部４２の内側の面と部材側端面部４３の内側の面とからなる略密閉された空間が形成される。照明器具１００において、例えば、電源ケーブルを電源穴３０から吊り下げパイプ６０の内部に通すような場合には、この空間を利用することで作業が容易になるとともに、美感も向上するという効果を奏する。
【００２２】
図３は、実施の形態１に係る照明器具１００において、吊り下げ補助部材４０に器具本体１０を装着する状態を示す図である。図４は、実施の形態１に係る照明器具１００の図３におけるＡ端部の拡大図である。図５は、実施の形態１に係る照明器具１００の図３におけるＢ端部の拡大図である。図４及び図５を用いて、Ａ端部及びＢ端部の位置決め、保持、固定方法について説明する。
【００２３】
図３に示すように、吊り下げ補助部材４０は、器具本体１０の溝部２０の内側に嵌合可能であるとともに、溝部２０の内側を長辺方向にスライド可能である。
【００２４】
吊り下げ補助部材４０を器具本体１０に装着する場合には、作業者は、まず、吊り下げ補助部材４０の部材端面部４１の端辺４１１を、溝部底面２５の底面端辺２５１から内側（Ｑ方向）に少しずらして配置し、Ｐ方向にスライドさせる。スライドさせることにより、後述するように、Ａ端部で吊り下げ補助部材４０が位置決めされ保持されるとともに、Ｂ端部で吊り下げ補助部材４０が器具本体１０に固定される。
【００２５】
図４に示すように、器具本体１０は、天面板２４（器具本体１０）の両端のうちの一方の端（Ａ端部）の溝部２０の溝部底面２５に、吊り下げ補助部材４０を位置決めする係止爪２１を備えている。係止爪２１は、溝部底面２５の端部（底面端辺２５１付近）に設けられる。吊り下げ補助部材４０は、１対の部材端面部４１のうちの一方の部材端面部４１（Ａ端部の部材端面部４１）が係止爪２１に係止されることにより器具本体１０に位置決めされる。すなわち、吊り下げ補助部材４０をＰ方向にスライドさせて、部材端面部４１の端辺４１１を係止爪２１に差し込むことにより、吊り下げ補助部材４０及び部材端面部４１が係止され位置決めされる。さらに、部材端面部４１は係止爪２１に差し込まれているので、Ａ端部の部材端面部４１は係止爪２１に保持されている。
【００２６】
図５に示すように、器具本体１０は、Ａ端部（一方の端）ではないＢ端部（他方の端）の溝部２０の溝部内側面２６に、吊り下げ補助部材４０を固定するための突起部２３を備える。突起部２３は、溝部内側面２６の両側の対向する位置に１つずつ設けられる。つまり、突起部２３はＢ端部に２箇所設けられる。
【００２７】
突起部２３は、例えば、溝部内側面２６の一部を切り起こし成型することにより形成される。突起部２３は、板バネ状に形成され、力を加えない状態では、図５に示すように溝部２０の幅方向内側に突き出ている。突起部２３は、突起部２３を押し縮める方向に力を加えられると、溝部内側面２６の方向に押し縮まり、突き出し部分が小さくなるかあるいは突き出し部分が無くなり、溝部内側面２６の突起部２３の部分がフラット（平面状）になる。
【００２８】
吊り下げ補助部材４０は、Ａ端部で位置決めするとともに、Ｂ端部で部材端面部４１と部材側端面部４３とからなる角部４５に突起部２３を引っ掛けることで器具本体１０に固定される。吊り下げ補助部材４０は、Ａ端部において係止爪２１により位置決め保持されているのでＰ方向には動かない。したがって、Ｂ端部では、吊り下げ補助部材４０がＱ方向に動いて係止爪２１から外れてしまわないようにすることで吊り下げ補助部材４０を固定することができる。また、吊り下げ補助部材４０は、Ａ端部において係止爪２１に部材端面部４１が差し込まれているので上下方向に動かないように保持されている。したがって、Ｂ端部においても上下方向に動かないようにすることにより上下方向にも固定される。
【００２９】
図３に示す状態では、突起部２３は、部材側端面部４３の内側にある状態である。図３に示す状態から、吊り下げ補助部材４０をＰ方向にスライドさせると、吊り下げ補助部材４０は部材側端面部４３の左右の側辺４３１（図５参照）を溝部内側面２６に当接しながらスライドする。側辺４３１が突起部２３に到達したところでさらにスライドさせることにより、側辺４３１は突起部２３を押し縮めながらスライドし、突起部２３を乗り越え、側辺４３１が突起部２３を乗り越え終えると、突起部２３はバネ力により内側に突き出る。これにより、部材側端面部４３が突起部２３の突き出しによりＱ方向に移動するのを防止することができる。また、突起部２３は溝部底面２５から吊り下げ補助部材４０（部材端面部４１）の板幅分だけ上方に形成される。したがって、部材端面部４１は、溝部底面２５と突起部２３の突き出し部分とに挟まれ、上下方向に固定される。すなわち、突起部２３は、角部４５に引っ掛かり、部材側端面部４３のＱ方向への移動を押さえるとともに、部材端面部４１の上下方向の移動も押さえることができる。
【００３０】
また、吊り下げ補助部材４０は、器具本体１０の備えるネジ穴２９（図２参照）に対応する位置に、器具本体１０にネジ止めするためのネジ止穴４４を備え、Ａ端部及びＢ端部で仮固定をした後に、ネジ止めをしてもよい。ネジ止めは、Ａ端部あるいはＢ端部の一方でもよいし、両方の端部でネジ止めしても構わない。
【００３１】
また、本実施の形態の吊り下げ補助部材４０では、吊り下げ補助部材４０が器具本体１０に装着された際に、溝部内側面２６に当接する側面は備えていない場合を説明した。しかし、吊り下げ補助部材４０は、溝部２０の溝部内側面２６に当接するように部材上面部４２の側辺から下方に延設された部材側部を備えていても構わない。吊り下げ補助部材４０の部材上面部４２の側面に曲げ加工を施すこと（断面コの字状の形状）により、吊り下げ時のたわみを防止することができる。
【００３２】
本実施の形態に係る照明器具１００によれば、吊り下げ補助部材４０を要することにより、器具本体１０の天井面側に空いている穴から虫や粉塵等の侵入を防ぐことができ、虫や粉塵等の侵入による電気、電子部品の故障を少なくすることができる。
【００３３】
また、本実施の形態に係る照明器具１００によれば、器具本体１０の天井面側の面に内側に凹部２７を有する溝部２０を設けることにより、吊り下げ補助部材４０の位置決めが容易に出来る。
【００３４】
また、本実施の形態に係る照明器具１００によれば、吊り下げ補助部材４０に器具本体１０をスライドさせることにより、照明器具１００を取り付けることが出来るため、施工性がよい。
【００３５】
吊り下げ補助部材４０を溝部２０に嵌めた状態（図１（ｂ）の状態）では、器具本体１０の天面板２４と部材上面部４２とが略平面状（フラット）になる。また、部材端面部４１は、溝部２０の底面に当接して設置されるが、一対の部材端面部４１の内側には、溝部２０の溝部内側面２６と溝部底面２５と部材上面部４２の内側の面と部材側端面部４３の内側の面とからなる略密閉された空間が形成される。この空間内で電源ケーブル等を、溝部２０の底面にある電源穴３０から吊り下げパイプを通すことができ、外観の美観が向上するとともにケーブルの取り扱い等も容易となる。
【００３６】
実施の形態２．
本実施の形態では、実施の形態１で説明した吊り下げ補助部材４０とは形状の異なる吊り下げ補助部材４０１と、吊り下げ補助部材４０１が取り付けられる器具本体１０とからなる照明器具４００について説明する。
【００３７】
図６は、実施の形態２に係る照明器具４００のＡ端部（Ｂ端部も同様）を示す図である。図７は、実施の形態２に係る照明器具４００において、吊り下げ補助部材４０１を取り付けた状態を示す図である。実施の形態２に係る照明器具４００において、実施の形態１と異なるところは、吊り下げ補助部材４０１の形状と吊り下げ補助部材４０１を器具本体１０に取り付ける取り付け方法である。図６、図７において、実施の形態１と同様の構成部分には同一の符号を付し、その説明を省略する。
【００３８】
器具本体１０は、天井面側の面に溝部２０を備える。器具本体１０は、溝部２０の両側端（両端付近）の溝部内側面２６に、吊り下げ補助部材４０１を係止・固定するための係止突起部２０１を備える。すなわち、Ａ端部の溝部内側面２６の両側であり、対向する位置に１つずつの係止突起部２０１を備える。Ｂ端部にも同様に、Ｂ端部の溝部内側面２６の両側であり、対向する位置に１つずつの係止突起部２０１を備える。すなわち、溝部２０は両端付近の４箇所に係止突起部２０１を備える。
【００３９】
係止突起部２０１は、例えば、溝部内側面２６の一部を切り起こし成型することにより形成される。係止突起部２０１は板バネ状に形成され、力を加えない状態では、溝部２０の幅方向（短辺方向）内側に突き出した突き出し部分を備える。係止突起部２０１は、係止突起部２０１を押し縮める方向に力を加えることにより、溝部内側面２６の方向に押し縮まり、突き出し部分が小さくなるかあるいは突き出し部分が無くなり、溝部内側面２６の係止突起部２０１の部分がフラット（平面状）になる。本実施の形態の係止突起部２０１は、矩形状である。また、係止突起部２０１は、溝部底面２５から所定の高さ分高い位置に設けられる。これは、溝部底面２５と係止突起部２０１の突き出し部分の下辺（下面）で、吊り下げ補助部材４０１の一部を挟んで、上下方向の固定を行うためである。
【００４０】
吊り下げ補助部材４０１は、部材上面部４２を備える。部材上面部４２は、実施の形態１で説明したものと同様に、吊り下げパイプ６０を連結するパイプ穴５０を備えるとともに、溝部２０の天井面側の開口を覆う（塞ぐ）面である。
【００４１】
また、吊り下げ補助部材４０１は、部材上面部４２の長辺（長辺方向の側辺）から下方に延設された部材側部４０２を備え、短辺方向断面略コ字状（あるいはＵ字状）に形成される。部材側部４０２は、吊り下げ補助部材４０が器具本体１０の溝部２０に取り付けられた際に、溝部２０の溝部内側面２６に当接するように形成される。すなわち、部材側部４０２の高さＮ１は、溝部内側面２６の高さＮ２に略等しく、部材側部４０２の長辺方向の長さ（すなわち、部材上面部４２の長辺方向の長さ）は、器具本体１０の長辺方向の長さと略等しくなっている。このため、吊り下げ補助部材４０１が溝部２０に嵌められ器具本体１０に装着されると（図７の状態）吊り下げ補助部材４０１の部材上面部４２と天面板２４とが略平面状（フラット）になる。
【００４２】
また、吊り下げ補助部材４０１の部材側部４０２には、溝部内側面２６と当接した場合に、係止突起部２０１に対応する位置に係止突起部２０１を引っ掛けるための係止穴４０３が設けられる。本実施の形態の係止穴４０３は、係止突起部２０１の形状に合わせた矩形状である。本実施の形態では、溝部２０の側端（端部付近）に２つずつ合計４つの係止突起部２０１が設けられているので、吊り下げ補助部材４０１の部材側部４０２にも、側端（端部付近）に２つずつ合計４つの係止穴４０３が設けられる。例えば、吊り下げ補助部材４０の撓み防止のために、さらに、溝部２０の中央付近に係止突起部２０１を設けてもよい。その場合は、中央付近の係止突起部２０１に対応する係止穴４０３を、吊り下げ補助部材４０１にも設ければよい。
【００４３】
次に、吊り下げ補助部材４０１を器具本体１０に取り付ける方法について説明する。まず作業者は、実施の形態１と同様に、吊り下げ補助部材４０１を、吊り下げ補助部材４０１の端部を溝部２０の端部から少しＱ方向にずらした位置で、溝部２０に嵌める。そして、吊り下げ補助部材４０１をＰ方向にスライドさせる。吊り下げ補助部材４０１は、部材側部４０２の端部が係止突起部２０１に到達した時点で、さらに力を加えられてＰ方向にスライドさせることで、部材側部４０２が係止突起部２０１を押し縮めながら（押しつぶしながら）スライドする。そして、係止穴４０３が係止突起部２０１の位置になるまでスライドしたところで、係止突起部２０１が係止穴４０３に嵌り、押し縮める力がなくなることで、係止突起部２０１がバネ力により係止穴４０３から溝部２０の内側に突き出て、係止穴４０３に引っ掛かる。この動作は、４箇所の係止突起部２０１及び係止穴４０３において、ほぼ同時に動作する。
【００４４】
これにより、吊り下げ補助部材４０１は、左右方向・上下方向に器具本体１０に固定される。本実施の形態では、溝部２０の内側の凹部２７を塞ぐ面は設けなかった。つまり、吊り下げ補助部材４０１を器具本体１０に装着した状態で、器具本体１０の端部は開口しているが、虫や粉塵の侵入を防ぐ効果を向上させるために、溝部２０の端部の開口（凹部２７）を覆う面を設けてもよい。このとき、吊り下げ補助部材４０は、溝部底面２５側が開口する略箱状の形状となる。
【００４５】
また、本実施の形態では、吊り下げ補助部材４０１をＰ方向にスライドさせて器具本体１０に取り付ける。このため、器具本体１０に設けられる４つの係止突起部２０１は、Ｐ方向にいくにしたがって徐々に突き出し部分が大きくなるテーパー状の板バネ状に形成するのが好ましい。このような形状とすることで、吊り下げ補助部材４０の部材側部４０２が係止突起部２０１を押し縮める際にスムーズにスライドさせることができる。
【００４６】
また、図７に示す縦方向に吊り下げ補助部材４０１をスライドさせて取り付けることもできる。この場合は、係止突起部２０１は、上から下にいくにしたがって徐々に突き出し部分が大きくなるテーパー状の板バネ状に形成するのが好ましい。
【００４７】
本実施の形態に係る照明器具４００によれば、従来器具本体へ直接吊り下げパイプを取り付けていたので、吊り下げ時には吊り下げパイプ取り付け部（連結部）の強度が弱かったが、器具本体１０に溝部２０（凹部）を設け、溝部２０に吊り下げ補助部材４０を取り付けることで、吊り下げ時の強度を強くすることができる。
【００４８】
本実施の形態に係る照明器具４００によれば、吊り下げ補助部材４０が溝部２０に嵌って装着された際に、溝部内側面２６の係止突起部２０１と吊り下げ補助部材４０の部材側部４０２の係止穴４０３とで吊り下げ補助部材４０を固定するので、吊り下げ補助部材４０が重みによりたわむのを防ぐことができる。
【００４９】
実施の形態３．
本実施の形態では、溝部を備えない器具本体と、その器具本体の天面を覆うように取り付けられる吊り下げ補助部材４１０について説明する。図８は、実施の形態３に係る照明器具３００の分解斜視図である。実施の形態１と同様の構成部分には、同一の符号を付し、その説明を省略する。
【００５０】
本実施の形態に係る照明器具３００は、器具本体７０の本体天面７５に吊り下げ用穴７３が空いている照明器具である。吊り下げ用穴７３は、吊り下げパイプ６０に取り付けられたナット８０が通過できる大きさの径を備えた大径穴部７１と、ナット８０が通過できない小さい径である小径穴部７２とからなる鍵穴型（だるま型）の穴である。本体天面７５には溝部はなく平面状であり、電源穴３０や取り付け用の取り付け穴等が設けられている場合もある。本実施の形態に係る吊り下げ補助部材４１０は、略平面状である。
【００５１】
図８を用いて、吊り下げ補助部材４１０を器具本体７０に取り付ける方法について説明する。まず、吊り下げパイプ６０に吊り下げ補助部材４１０が仮取り付けする。通常、吊り下げパイプ６０をパイプ穴５０に通し２つのナット８０で共締めして固定するが、仮取り付けでは、２つのナットを締めて固定してしまわずに２つのナットの間に間隔を設けておく。吊り下げパイプ６０を吊り下げ補助部材４０に仮取り付けした状態で、吊り下げパイプ６０の下端部（及び下方のナット８０）を器具本体７０の吊り下げ用穴７３の大径穴部７１に挿入する。挿入した後、吊り下げ補助部材４１０がＲ方向にスライドするように器具本体７０をスライドさせ、吊り下げパイプ６０及びナット８０を小径穴部７２の位置に移動させる。吊り下げパイプ６０及びナット８０が小径穴部７２の位置にある状態で、ナット８０を締めることにより器具本体７０と吊り下げ補助部材４１０とを共締めして固定する。
【００５２】
本実施の形態によれば、本体天面７５が吊り下げ補助部材４１０で覆われ、電源穴３０取り付け穴等を塞いで虫や粉塵等の侵入を防ぐことができる。
【００５３】
図８では、吊り下げ補助部材４１０の長辺方向の長さは、外観性を考慮して本体天面７５の長辺方向の長さと略等しくなるようになっている。しかし、これに限られず、本体天面７５において、電源穴３０や取り付け穴等の穴のある部分を塞ぐことができる長さの吊り下げ補助部材４１０を用いることができ、部品の長さ（大きさ）を小さくしてコスト削減をすることができる。
【００５４】
以上、実施の形態１〜３について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【図面の簡単な説明】
【００５５】
【図１】実施の形態１に係る照明器具１００の図であり、（ａ）は照明器具１００を下方向から見た斜視図であり、（ｂ）は照明器具１００を上方向から見た斜視図である。
【図２】実施の形態１に係る照明器具１００を上方向から見た分解斜視図である。
【図３】実施の形態１に係る照明器具１００において、吊り下げ補助部材の装着時を示す図である。
【図４】実施の形態１に係る照明器具１００の図３におけるＡ端部の拡大図である。
【図５】実施の形態１に係る照明器具１００の図３におけるＢ端部の拡大図である。
【図６】実施の形態２に係る照明器具４００のＡ端部（Ｂ端部も同様）を示す図である。
【図７】実施の形態２に係る照明器具４００において、吊り下げ補助部材４０１を取り付けた状態を示す図である。
【図８】実施の形態３に係る照明器具３００の分解斜視図である。
【符号の説明】
【００５６】
１０  器具本体、２０  溝部、２１  係止爪、２３  突起部、２４  天面板、２５  溝部底面、２６  溝部内側面、２７  凹部、２８  器具本体側面、２９  ネジ穴、３０  電源穴、４０  吊り下げ補助部材、４１  部材端面部、４２  部材上面部、４３  部材側端面部、４４  ネジ止穴、４５  角部、５０  パイプ穴、６０  吊り下げパイプ、７０  器具本体、７１  大径穴部、７２  小径穴部、７３  吊り下げ用穴、８０  ナット、１００  照明器具、２００  天井面、２０１  係止突起部、２５１  底面端辺、３００  照明器具、４００  照明器具、４０１  吊り下げ補助部材、４０２  部材側部、４０３  係止穴、４１０  吊り下げ補助部材、４１１  端辺、４３１  側辺。
【図１】
2010129427.tif 000003
【図２】
2010129427.tif 000004
【図３】
2010129427.tif 000005
【図４】
2010129427.tif 000006
【図５】
2010129427.tif 000007
【図６】
2010129427.tif 000008
【図７】
2010129427.tif 000009
【図８】
2010129427.tif 000010